(57)【要約】【課題】複数の装着態様を取り得るマスクを提供する。【解決手段】使用者の顔の一部を被覆可能であるマスク本体１０と、マスク本体１０を顔に保持するための装着部材２０と、マスク本体１０の正面視における上辺、下辺、右側辺および左側辺に、装着部材２０の一部が挿通可能なそれぞれの挿通部と、を備え、マスク本体１０の上辺および下辺のそれぞれの挿通部に装着部材２０が挿通する第１装着態様、および、マスク本体１０の右側辺および左側辺のそれぞれの挿通部に装着部材２０が挿通する第２装着態様、の何れか一方の装着態様によって使用者の顔の一部を被覆するマスクＸ。【選択図】図１
0003231145.tif 000002
【実用新案登録請求の範囲】
【請求項１】
使用者の顔の一部を被覆可能であるマスク本体と、
前記マスク本体を顔に保持するための装着部材と、
前記マスク本体の正面視における上辺、下辺、右側辺および左側辺に、前記装着部材の一部が挿通可能なそれぞれの挿通部と、を備え、
前記マスク本体の上辺および下辺のそれぞれの挿通部に前記装着部材が挿通する第１装着態様、および、前記マスク本体の右側辺および左側辺のそれぞれの挿通部に前記装着部材が挿通する第２装着態様、の何れか一方の装着態様によって使用者の顔の一部を被覆するマスク。
【請求項２】
前記第１装着態様が前記装着部材を耳に掛ける装着態様であり、前記第２装着態様が前記装着部材を首に掛ける装着態様である請求項１に記載のマスク。
【請求項３】
前記装着部材は一本の紐状部材である請求項１または２に記載のマスク。
【請求項４】
前記紐状部材の一端および他端のそれぞれを挿通して連結し、前記紐状部材の張力を調節可能な連結部材を備えた請求項３に記載のマスク。
【請求項５】
前記マスク本体の使用者の側に、有害物質を吸着する吸着機能を有するシート状のフィルターを収容する収容部を備えた請求項１〜４の何れか一項に記載のマスク。
【考案の詳細な説明】
【技術分野】
【０００１】
本考案は、使用者の顔の一部を被覆可能であるマスクに関する。
【背景技術】
【０００２】
従来、ウィルス・細菌などの感染防止や、咳・くしゃみ等による飛沫の飛散防止のため、また、花粉や黄砂などの微粉塵に対する防御対策として、マスクが汎用されている（例えば特許文献１参照）。特許文献１に記載されたマスクは、当該マスクの左右の両端に耳掛けバンドが取り付けてあり、当該耳掛けバンドを耳に掛けることによって、使用者の顔の一部を被覆するようにマスクを装着できる。
【先行技術文献】
【特許文献】
【０００３】
【特許文献１】特開２０１７−１４６４７号公報
【考案の概要】
【考案が解決しようとする課題】
【０００４】
特許文献１に記載のマスクのように耳掛けバンドによって装着するマスクは、使用者によっては、耳に掛けたバンドによって耳が痛くなり、長時間の継続した装着が難しくなる場合があった。この場合、耳以外の場所にバンドを掛けることができれば、使用者によっては長時間に亘ってマスクを装着することができることが期待できるため、耳以外の場所にバンドを掛けることができるマスクが望まれていた。
【０００５】
また、耳以外の場所にバンドを掛けることによってマスクの装着ができれば、例えばシーンに合わせた装着ができるようになり、多くの使用者が利用できるマスクとなると考えられる。
【０００６】
従って、本考案の目的は、複数の装着態様を取り得るマスクを提供することにある。
【課題を解決するための手段】
【０００７】
上記目的を達成するための本考案に係るマスクの第一特徴構成は、使用者の顔の一部を被覆可能であるマスク本体と、前記マスク本体を顔に保持するための装着部材と、前記マスク本体の正面視における上辺、下辺、右側辺および左側辺に、前記装着部材の一部が挿通可能なそれぞれの挿通部と、を備え、前記マスク本体の上辺および下辺のそれぞれの挿通部に前記装着部材が挿通する第１装着態様、および、前記マスク本体の右側辺および左側辺のそれぞれの挿通部に前記装着部材が挿通する第２装着態様、の何れか一方の装着態様によって使用者の顔の一部を被覆する点にある。
【０００８】
本考案によれば、装着部材を第１装着態様および第２装着態様の何れか一方となるように付け替えることができ、第１装着態様および第２装着態様の何れか一方の装着態様によって使用者の顔の一部を被覆することができるため、複数の装着態様を取り得るマスクを供することができる。
【０００９】
即ち、本考案のように第１装着態様および第２装着態様の何れか一方の装着態様を取り得るマスクであれば、例えば使用者が長時間に亘る継続した装着を行い易い方の装着態様を選択することができる。さらに、本考案であれば、使用者が所望する何れかの装着態様によってマスクを装着することができるため、例えばシーンに合わせた装着ができるようになり、多くの使用者が利用できるマスクとなる。そのため、使用者がマスクを装着するスタイルの選択肢を増やすことができるマスクとなる。
【００１０】
本考案に係るマスクの第二特徴構成は、前記第１装着態様が前記装着部材を耳に掛ける装着態様とし、前記第２装着態様が前記装着部材を首に掛ける装着態様とした点にある。
【００１１】
本構成によれば、例えば装着部材を耳に掛ける第１装着態様を標準スタイルとし、装着部材を首に掛ける第２装着態様をネックスタイルとして、装着態様を切り替えることができる２ウェイスタイルとしたマスクを供することができる。
【００１２】
本考案に係るマスクの第三特徴構成は、前記装着部材を一本の紐状部材とした点にある。
【００１３】
本構成によれば、一本の紐状部材をそれぞれの挿通部に挿通させることによって装着部材とすることができる。そのため、本考案のマスクは、特許文献１に記載されたマスクのように耳掛けバンドを超音波溶着などによって取り付ける必要がなく、例えば超音波溶着工程を省略することができるため、その分の製造工程を簡略化することができる。
【００１４】
本考案に係るマスクの第四特徴構成は、前記紐状部材の一端および他端のそれぞれを挿通して連結し、前記紐状部材の張力を調節可能な連結部材を備えた点にある。
【００１５】
本構成によれば、連結部材によって紐状部材の一端および他端を容易に連結することができ、一本の長い紐状部材の張力を調節することで、マスクの装着感を微細に調節することができる。
【００１６】
本考案に係るマスクの第五特徴構成は、前記マスク本体の使用者の側に、有害物質を吸着する吸着機能を有するシート状のフィルターを収容する収容部を備えた点にある。
【００１７】
本構成によれば、マスクのウィルス・細菌などの感染防止能力、および、花粉などの微粉塵に対する防御能力を向上させることができる。
【図面の簡単な説明】
【００１８】
【図１】実施形態（第１装着態様および第２装着態様）の本考案のマスクを示す側面図である。
【図２】第１装着態様のマスクを示す正面図である。
【図３】第１装着態様のマスクを示す側面図である。
【図４】第１装着態様のマスクを示す斜視図である。
【図５】第２装着態様のマスクを示す背面図である。
【図６】第２装着態様のマスクを示す側面図である。
【図７】第２装着態様のマスクを示す斜視図である。
【図８】挿通部を形成する態様を示す要部概略図である。
【図９】収容部を備えた態様を示す概略図である。
【図１０】被覆した顔の一部を露出する露出態様を示す側面図である。
【考案を実施するための形態】
【００１９】
以下、本考案の実施形態を図面に基づいて説明する。
図１〜７に示したように、本考案のマスクＸは、使用者の顔の一部を被覆可能であるマスク本体１０と、マスク本体１０を顔に保持するための装着部材２０と、マスク本体１０の正面視における上辺ａ、下辺ｂ、右側辺ｃおよび左側辺ｄに、装着部材２０の一部が挿通可能なそれぞれの挿通部１１〜１４と、を備える。
【００２０】
マスクＸは、マスク本体１０の上辺ａおよび下辺ｂのそれぞれの挿通部１１,１２に装着部材２０が挿通する第１装着態様、および、マスク本体１０の右側辺ｃおよび左側辺ｄのそれぞれの挿通部１３,１４に装着部材２０が挿通する第２装着態様、の何れか一方の装着態様によって使用者の顔の一部を被覆する。
【００２１】
第１装着態様においては挿通部１１,１２のみに装着部材２０が挿通し、挿通部１３,１４には装着部材２０を挿通させない。また、第２装着態様においては挿通部１３,１４のみに装着部材２０が挿通し、挿通部１１,１２には装着部材２０を挿通させない。このように、本構成では、装着部材２０を第１装着態様および第２装着態様の何れか一方となるように付け替えることができる。
【００２２】
本実施形態において、第１装着態様は装着部材２０を耳に掛ける装着態様であり（図２〜４：標準スタイル）、第２装着態様は装着部材２０を首に掛ける装着態様である（図５〜７：ネックスタイル）場合について説明する。即ち、本実施形態では、標準スタイルおよびネックスタイルを切り替えることができる２ウェイスタイルとしたマスクとなる。
【００２３】
マスク本体１０は、使用者の顔の一部を被覆可能であり、通気性を有する素材で形成される態様であれば、その形状や材料は特に限定されるものではない。「使用者の顔の一部を被覆可能」とは、例えば口および鼻孔の両方を覆う態様であることが好ましいが、これに限定されるものではない。当該形状としては、例えば矩形状、多角形状、楕円形状など、種々の形状を取り得る。当該材料としては、例えば織布などの布や熱可塑性合成繊維で形成された不織布などのシート材等が適用可能であるが、これに限定されるものではない。当該シート材は、１枚又は複数枚を積層してもよい。また、シート材は、ウィルス、細菌、花粉およびＰＭ２．５などの微粒子を除去できるようなフィルタシートを含んでもよい。
【００２４】
マスク本体１０は、フラットなシート材を使用してもよいし、シート材にプリーツ加工等の立体加工を施した態様としてもよい。フラットなシート材であっても、鼻や口元のカーブにフィットする立体型としてもよい。プリーツ加工により、マスク本体１０はその幅が上下方向に拡幅可能になり、鼻から顎にかけて広い範囲を覆うことができるようになる。本実施形態では、フラットなマスク本体１０の中心線Ｚで二つ折りすることで、口および鼻孔の両方を立体的にマスク本体１０で覆うことができる態様とする場合について説明する。
【００２５】
マスク本体１０の正面視における上辺ａ、下辺ｂ、右側辺ｃおよび左側辺ｄには、装着部材２０の一部が挿通可能な挿通部１１〜１４をそれぞれ備える。
【００２６】
それぞれの挿通部１１〜１４は、装着部材２０が挿通できるように筒状の態様としてあるが、このような態様に限定されるものではない。当該挿通部１１〜１４は、マスク本体１０のシート材の端部を折り返して筒状に形成してもよいし、筒状に形成した部材をマスク本体１０の上辺ａ、下辺ｂ、右側辺ｃおよび左側辺ｄのそれぞれに取り付ける態様としてもよい（図８）。
【００２７】
装着部材２０はマスク本体１０を顔に保持するための部材である。即ち、当該装着部材２０によって、マスク本体１０を顔に保持（装着）して使用者の顔の一部に密接させることができる。装着部材２０はマスク本体１０を顔に保持することができれば、その形態や素材は特に限定されるものではない。
【００２８】
当該形態としては、例えば紐状やベルト状などの態様を取り得るが、これらに限定されるものではない。本実施形態では、装着部材２０を一本の紐状部材とする場合について説明する。当該装着部材（紐状部材）２０は、例えば弾性変形により伸縮可能な素材で構成してもよいし、殆ど伸縮しない紐材で構成してもよい。伸縮可能な素材とする場合は、例えばゴムやポリウレタンなどの弾性を有する材料と、天然・合成繊維などとの複合材（ゴム紐）で、紐状に形成するとよい。紐材を構成する材料については、特に限定されるものではない。
【００２９】
第１装着態様（図２〜４）の場合、紐状部材２０を上辺ａの挿通部１１および下辺ｂの挿通部１２のそれぞれに挿通させる。図４に示したように、例えば紐状部材２０を挿通部１２の右側開口１２ａから挿入して（I）左側開口１２ｂから抜き出し（II）、さらに、当該紐状部材２０を挿通部１１の左側開口１１ｂから挿入して（III）右側開口１１ａから抜き出し（IＶ）、紐状部材２０の一端２０ａおよび他端２０ｂを連結する。このとき、マスク本体１０の両側には、使用者の耳に紐状部材２０を掛けることができる程度の輪をそれぞれ形成することができる（図２，４）。また、前記連結は、一端２０ａおよび他端２０ｂを結ぶことで行ってもよいし、連結部材３０によって連結してもよい（図３）。本実施形態では、連結部材３０を使用する場合について説明する。
【００３０】
当該連結部材３０は、紐状部材２０の一端２０ａおよび他端２０ｂのそれぞれを挿通して連結できる態様であれば、特に限定されるものではない。本実施形態では、連結部材３０として、例えばドローコード（紐状部材２０）を挿通して摺動自在に係止することができるストッパを使用した場合について説明する。当該ストッパは、公知のストッパを適用することができる。ストッパ（連結部材３０）は、紐状部材２０の一端２０ａおよび他端２０ｂのそれぞれを挿通できる孔部を備える。
【００３１】
当該連結部材３０は、紐状部材２０の張力を調節可能に構成してある。即ち、連結部材３０は、紐状部材２０の一端２０ａおよび他端２０ｂのそれぞれを孔部に挿通した状態で、一端２０ａおよび他端２０ｂの何れか一方を引っ張る（絞る）ことで紐状部材２０の締め具合を調節し、これにより紐状部材２０の張力を調節することができる。
【００３２】
このように連結部材３０によって紐状部材２０の張力を調節することで、マスクＸの装着感を調節することができる。
【００３３】
第２装着態様の（図５〜７）の場合、紐状部材２０を右側辺ｃの挿通部１３および左側辺ｄの挿通部１４のそれぞれに挿通させる。図７に示したように、例えば紐状部材２０を挿通部１３の下側開口１３ａから挿入して（I）上側開口１３ｂから抜き出し（II）、さらに、当該紐状部材２０を挿通部１４の上側開口１４ｂから挿入して（III）下側開口１４ａから抜き出し（IＶ）、紐状部材２０の一端２０ａおよび他端２０ｂを連結する。このとき、マスク本体１０の使用者側の上下方向には、使用者の首に紐状部材２０を掛けることができる程度の輪をそれぞれ形成することができる（図５，７）。また、当該連結は、一端２０ａおよび他端２０ｂを結ぶことで行ってもよいし、連結部材３０によって連結してもよい（図５）。当該連結部材３０は、第１装着態様で使用した連結部材３０を使用すればよい。
【００３４】
尚、マスク本体１０の使用者側の上下方向に形成される輪のうち、例えば上側の輪を頭部（例えば後頭部）にかかるように調節してもよい。
【００３５】
本実施形態では、マスク本体１０の使用者の側に、有害物質を吸着する吸着機能を有するシート状のフィルター４０を収容する収容部１５を備えた場合について説明する（図９）。
【００３６】
収容部１５は、シート状のフィルター４０を収容できるポケット状の態様であればよいが、特に限定されるものではない。当該収容部１５は、マスク本体１０の通気性を損なわないようにするため、例えばメッシュ材をマスク本体１０の裏側に積層するように設けるとよいが、このような態様に限定されるものではない。
【００３７】
フィルター４０はウィルス、細菌、花粉およびＰＭ２．５などの有害物質を吸着する吸着機能を有するシート状のフィルターであれば、特に限定されるものではない。
【００３８】
上述した第１装着態様（図２〜４）の場合、装着部材２０を耳に掛ける装着態様とすることができ、第２装着態様（図５〜７）の場合、装着部材２０を首に掛ける装着態様とすることができる。即ち、本考案のマスクＸは、第１装着態様および第２装着態様の何れか一方の装着態様によって使用者の顔の一部を被覆するマスクとなるため、複数の装着態様を取り得るマスクを供することができる。
【００３９】
マスクＸを第２装着態様の状態とした後、マスク本体１０を下方にずらすことで、被覆した顔の一部を露出する露出態様とすることができる（図１０）。当該露出態様は第２装着態様から容易に移行することができる。即ち、第２装着態様は、着脱が容易なネックスタイルとすることができる。
【産業上の利用可能性】
【００４０】
本考案は、使用者の顔の一部を被覆可能であるマスクに利用できる。
【符号の説明】
【００４１】
１０            マスク本体
１１〜１４      挿通部
１５            収容部
２０            装着部材
３０            連結部材
【図１】
0003231145.tif 000003
【図２】
0003231145.tif 000004
【図３】
0003231145.tif 000005
【図４】
0003231145.tif 000006
【図５】
0003231145.tif 000007
【図６】
0003231145.tif 000008
【図７】
0003231145.tif 000009
【図８】
0003231145.tif 000010
【図９】
0003231145.tif 000011
【図１０】
0003231145.tif 000012